(57)【要約】    【課題】  プリペイド型の非接触ＩＣカードの入金及び明細表示を行うことが可能な車載用情報端末装置及び車内における非接触ＩＣカードの利用を支援する情報センターを提供すること。    【解決手段】  無線通信手段を介して金融機関５とデータ通信を行うことが可能な送受信手段１９ｂと、非接触ＩＣカード２に対してデータの読み取り及び書き込みを行うためのリーダ・ライタ１５手段と、非接触ＩＣカード２に対するデータの読み取り及び書き込み並びに外部との通信を制御するための処理制御手段と、非接触ＩＣカード２を利用するための操作指示を入力させ、非接触ＩＣカードに記憶されている情報をディスプレイ１７ｃに表示させる操作表示手段とを装備している。【選択図】  図６
2006350624.tif 000002
【特許請求の範囲】
【請求項１】
無線通信手段を介して金融機関とデータ通信を行うことが可能な送受信手段と、
非接触ＩＣカードに対してデータの読み取り及び書き込みを行うためのリーダ・ライタ手段と、
前記非接触ＩＣカードに対するデータの読み取り及び書き込み並びに外部との通信を制御するための処理制御手段と、
前記非接触ＩＣカードを利用するための操作指示を入力させ、前記非接触ＩＣカードに記憶されている情報をディスプレイに表示させる操作表示手段とを備えていることを特徴とする車載用情報端末装置。
【請求項２】
前記送受信手段が、無線通信手段を介してインターネットへ接続されるものであり、
前記操作表示手段が、インターネット綱を利用するためのウェブネットワークブラウザーを表示することが可能なものであることを特徴とする請求項１記載の車載用情報端末装置。
【請求項３】
前記送受信手段が、金融機関のコンピュータと接続されている情報センターと無線通信手段を介して接続されるものであり、
前記処理制御手段が、前記非接触ＩＣカードにおける入金に必要な情報を、前記情報センターを介して指定の金融機関へ送信させ、該金融機関からの情報に基づいて前記非接触ＩＣカードへ入金実行情報を書き込ませるものであることを特徴とする請求項１又は請求項２記載の車載用情報端末装置。
【請求項４】
前記処理制御手段が、前記リーダ・ライタ手段を介して前記非接触ＩＣカードを検出した場合、前記非接触ＩＣカードの認証情報の入力要求を前記操作表示手段に表示させ、外部から入力された前記認証情報が正規の認証情報と一致した場合にのみ、前記非接触ＩＣカードの使用を許可するものであることを特徴とする請求項１〜３のいずれかの項に記載の車載用情報端末装置。
【請求項５】
前記処理制御手段が、外部から入力された前記認証情報が正規の認証情報と一致しない回数が所定回数を超えた場合、所定の通報宛先へ前記非接触ＩＣカードの不正使用を通報させるものであることを特徴とする請求項４記載の車載用情報端末装置。
【請求項６】
前記操作表示手段が、前記非接触ＩＣカードの使用が許可された場合、少なくとも前記非接触ＩＣカードの明細表示指示と入金指示とが含まれた操作指示を入力させる操作画面を前記ディスプレイに表示させるものであることを特徴とする請求項４又は請求項５記載の車載用情報端末装置。
【請求項７】
前記操作表示手段が、前記操作画面を介して入力された明細表示指示に従って、前記非接触ＩＣカードから読み取ったデータに基づいて、少なくとも前記非接触ＩＣカードの使用履歴と残高とが含まれた情報を前記ディスプレイに表示させるものであることを特徴とする請求項６記載の車載用情報端末装置。
【請求項８】
前記処理制御手段が、外部から指定された前記入金指示に従って、外部から指定された入金元の金融機関へ、外部から入力された入金に必要な情報及び入金される非接触ＩＣカードの情報を送信し、前記金融機関に前記非接触ＩＣカードへ入金させるものであることを特徴とする請求項６又は請求項７記載の車載用情報端末装置。
【請求項９】
前記処理制御手段が、使用が許可された非接触ＩＣカードから読み取ったデータに基づいて、該非接触ＩＣカードの残高をチェックし、該残高が所定金額より少ないと判断した場合、前記操作表示手段が前記ディスプレイに入金要求を表示させるものであることを特徴とする請求項４〜８のいずれかの項に記載の車載用情報端末装置。
【請求項１０】
前記処理制御手段が、使用が許可された非接触ＩＣカードから読み取ったデータに基づいて、該非接触ＩＣカードの残高をチェックし、該残高が所定金額より少ないと判断した場合、前記非接触ＩＣカードに記憶されている入金に必要な入金情報を、該情報の中で指定された金融機関へ送信させ、該金融機関に前記非接触ＩＣカードへ指定金額を入金させることを特徴とする請求項４〜９のいずれかの項に記載の車載用情報端末装置。
【請求項１１】
経路案内を行うナビゲーション手段を更に備えており、
前記処理制御手段が、経路案内の目的地が設定された場合、該目的地までの道路使用料金を前記ナビゲーション手段に計算させ、計算された道路使用料金が前記所定金額より高い場合、前記道路使用料金を前記所定金額とすることを特徴とする請求項９〜１０のいずれかの項に記載の車載用情報端末装置。
【請求項１２】
前記処理制御手段が、金融機関から入金実行情報を受け取った場合、入金される非接触ＩＣカードを前記リーダ・ライタ手段に読み取らせる要求を前記操作表示手段を介して前記ディスプレイに表示させ、前記リーダ・ライタ手段を介して、前記入金実行情報を前記非接触ＩＣカードに記憶させることを特徴とする請求項８〜１１のいずれかの項に記載の車載用情報端末装置。
【請求項１３】
前記処理制御手段が、前記操作表示手段を介して入力された情報を前記非接触ＩＣカードに記憶させるものであることを特徴とする請求項１〜１２のいずれかの項に記載の車載用情報端末装置。
【請求項１４】
経路案内を行うナビゲーション手段を更に備えており、該ナビゲーション手段が、与えられた指示に従って、前記非接触ＩＣカードに記憶されている施設の所在地を経路案内の目的地とするものであることを特徴とする請求項１〜１３のいずれかの項に記載の車載用情報端末装置。
【請求項１５】
前記操作表示手段が、前記非接触ＩＣカードが利用される施設を他の施設と区別するように表示させるものであることを特徴とする請求項１〜１４のいずれかの項に記載の車載用情報端末装置。
【請求項１６】
無線通信手段を介して車両装置と通信を行い、常に最新の施設情報及び道路情報を含んだ情報を前記車両装置に提供する情報センターであって、
通信手段を介して金融機関と接続されており、
前記車両装置と前記金融機関との間で行われる入金情報の通信を中継することを特徴とする情報センター。
【発明の詳細な説明】
【技術分野】
【０００１】
本発明は車載用情報端末装置に関し、より詳細には、非接触ＩＣカードが利用される車載用情報端末装置及び情報センターに関する。
【背景技術】
【０００２】
近年、無線通信によるデータ通信を行う非接触自動認識技術が採用された非接触ＩＣカード（例えば、ソニーのフェリカ等）が様々な分野で応用されるようになってきている。非接触ＩＣカードは、小型アンテナと、データなどを記憶するＩＣチップとから構成され、無線通信（即ち、電磁波通信）を介して外部装置と通信を行うため、従来のＩＣカードに比べて、偽造・変造され難く、高速なデータ伝送と書き込みが可能であり、特に、カードの抜き差しが要らないため、個人情報の自動認証と管理（例えば、社員証、学生証、車両の鍵）、電子マネーサービス（例えば、プリペイド型電子マネー、乗車券）などに広く利用されている。
【０００３】
また、高速道路の料金所でも、非接触ＩＣカードの使用を導入する方針となっている。下記の特許文献１には、有料道路の入口料金所で進入する車両の車種を判別し、残額が書き込まれている非接触ＩＣカードに車両の車種を示す車種情報と入口料金所を識別する入口識別子とを書き込み、有料道路の出口料金所で非接触ＩＣカードから車種情報と入口識別子とを読み取り、読み取られた車種情報と入口識別子とに基づいて車両に課せられる料金を算出し、算出された料金を用いて、前記料金の支払い義務者に対する課金処理を行う非接触ＩＣカードを利用した有料道路の料金収受方法が開示されている。
【０００４】
また、下記の特許文献２には、チェックバリアで路上機と非接触ＩＣカードとの間で無線通信を行わせることにより、非接触ＩＣカードを利用した有料道路の料金を収受する有料道路の料金収受システムが開示されている。
また、駐車場の料金収受所、路上自動販売機、ガソリンスタンドなどにおけるプリペイド型非接触ＩＣカードの利用も広がりつつある。そのため、車両運転者にとって、プリペイド型非接触ＩＣカードの利用機会がますます増える傾向にある。
【０００５】
しかしながら、このようなプリペイド型の非接触ＩＣカード（以下、非接触ＩＣカードと簡略する）を使用する場合、１度に入金できる金額が限定されているため、入金が頻繁に行われる必要がある。非接触ＩＣカード（例えば、Ｅｄｙ）を利用する場合の入金方法としては、店頭入金、入金機による入金、ネット入金及びインターネットバンキングによる入金方法がある。店頭入金の場合、一部のＥｄｙ加盟店のレジにて、現金で非接触ＩＣカードへ入金する。入金機による入金の場合、現金入金機を使って、現金で非接触ＩＣカードへ入金する。ネット入金の場合、非接触ＩＣカードの読み取り・書き込み専用のリーダ・ライタと接続されているパソコンを使って、予め登録されたクレジットカードから非接触ＩＣカードへ入金する。また、インターネットバンキングによる入金の場合、非接触ＩＣカードの読み取り・書き込み専用のリーダ・ライタと接続されているパソコンを使って、予め登録された銀行口座から非接触ＩＣカードへ入金するようになっている。
【０００６】
このように、非接触ＩＣカードの入金は限定された場所又は専用ツールで行われている。そのため、車両を運転している場合、非接触ＩＣカードの入金は通常できず、支払料金が残高より高い場合、決済することができない。また、非接触ＩＣカードの残高が表示されないため、使用料金を支払えるか否かを判断することもできない場合が多い。即ち、車両の運転中には、非接触ＩＣカードの使用が大変不便であるといった課題があった。
【特許文献１】特開２００４−２８０７８１号公報
【特許文献２】特開平０５−３２４９６７号公報
【発明の開示】
【課題を解決するための手段及びその効果】
【０００７】
本発明は上記課題に鑑みなされたものであって、プリペイド型の非接触ＩＣカードの入金及び明細表示を行うことが可能な車載用情報端末装置及び車内における非接触ＩＣカードの利用を支援する情報センターを提供することを目的としている。
【０００８】
上記目的を達成するために本発明に係る車載用情報端末装置（１）は、無線通信手段を介して金融機関とデータ通信を行うことが可能な送受信手段と、非接触ＩＣカードに対してデータの読み取り及び書き込みを行うためのリーダ・ライタ手段と、前記非接触ＩＣカードに対するデータの読み取り及び書き込み並びに外部との通信を制御するための処理制御手段と、前記非接触ＩＣカードを利用するための操作指示を入力させ、前記非接触ＩＣカードに記憶されている情報をディスプレイに表示させる操作表示手段とを備えていることを特徴としている。
【０００９】
上記車載用情報端末装置（１）によれば、無線通信手段を介して金融機関とデータ通信を行うことが可能な送受信手段と、非接触ＩＣカードに対してデータの読み取り及び書き込みを行うためのリーダ・ライタ手段と、前記非接触ＩＣカードに対するデータの読み取り及び書き込み並びに外部との通信を制御するための処理制御手段と、前記非接触ＩＣカードを利用するための操作指示を入力させ、前記非接触ＩＣカードに記憶されている情報をディスプレイに表示させる操作表示手段とを備えているため、前記非接触ＩＣカードに記憶されている情報を表示し、外部と通信することが可能なため、前記非接触ＩＣカードに記憶されている情報の確認、また、金融機関によるプリペイド型の非接触ＩＣカードへの入金を実現させることができる。
【００１０】
また、本発明に係る車載用情報端末装置（２）は、上記車載用情報端末装置（１）において、前記送受信手段が、無線通信手段を介してインターネットへ接続されるものであり、前記操作表示手段が、インターネット綱を利用するためのウェブネットワークブラウザーを表示することが可能なものであることを特徴としている。
【００１１】
上記車載用情報端末装置（２）によれば、無線通信手段を介してインターネットへ接続され、インターネット綱を利用するためのウェブネットワークブラウザーが表示されるため、インターネットから予め登録された銀行、郵便局、又はクレジット会社にアクセスすれば、インターネットバンキングを行うことにより非接触ＩＣカードへ入金することができる。また、ネットショッピングを行う場合、前記非接触ＩＣカードより決済することもできる。
【００１２】
また、本発明に係る車載用情報端末装置（３）は、上記車載用情報端末装置（１）又は（２）において、前記送受信手段が、金融機関のコンピュータと接続されている情報センターと無線通信手段を介して接続されるものであり、前記処理制御手段が、前記非接触ＩＣカードにおける入金に必要な情報を、前記情報センターを介して指定の金融機関へ送信させ、該金融機関からの情報に基づいて前記非接触ＩＣカードへ入金実行情報を書き込ませるものであることを特徴としている。
【００１３】
上記車載用情報端末装置（３）によれば、金融機関のコンピュータと接続されている情報センターと無線通信手段を介して接続されており、前記非接触ＩＣカードにおける入金に必要な情報を、前記情報センターを介して指定の金融機関へ送信し、該金融機関からの情報に基づいて前記非接触ＩＣカードへ入金実行情報を書き込ませるため、車内における前記非接触ＩＣカードの入金を実現することができる。
【００１４】
また、本発明に係る車載用情報端末装置（４）は、上記車載用情報端末装置（１）〜（３）のいずれかにおいて、前記処理制御手段が、前記リーダ・ライタ手段を介して前記非接触ＩＣカードを検出した場合、前記非接触ＩＣカードの認証情報の入力要求を前記操作表示手段に表示させ、外部から入力された前記認証情報が正規の認証情報と一致した場合にのみ、前記非接触ＩＣカードの使用を許可するものであることを特徴としている。
【００１５】
上記車載用情報端末装置（４）によれば、前記リーダ・ライタ手段を介して前記非接触ＩＣカードが検出された場合、前記非接触ＩＣカードの認証情報の入力要求を前記操作表示手段に表示させ、外部から入力された前記認証情報が正規の認証情報と一致した場合にのみ、前記非接触ＩＣカードの使用が許可されるため、前記非接触ＩＣカードの所有者のみ前記非接触ＩＣカードを使えるように設定されているので、安全性を確保することができる。
【００１６】
また、本発明に係る車載用情報端末装置（５）は、上記車載用情報端末装置（４）において、前記処理制御手段が、外部から入力された前記認証情報が正規の認証情報と一致しない回数が所定回数を超えた場合、所定の通報宛先へ前記非接触ＩＣカードの不正使用を通報させるものであることを特徴としている。
【００１７】
上記車載用情報端末装置（５）によれば、外部から入力された前記認証情報が正規の認証情報と一致しない回数が所定回数を超えた場合、所定の通報宛先へ前記非接触ＩＣカードの不正使用が通報されるため、例えば、前記非接触ＩＣカードの所有者のメールアドレスを通報宛先として登録しておけば、仮に該非接触ＩＣカードが盗難されたとしても、他人に使用させないだけではなく、所有者に通報されるので、安全性をさらに向上させることができる。
【００１８】
また、本発明に係る車載用情報端末装置（６）は、上記車載用情報端末装置（４）又は（５）において、前記操作表示手段が、前記非接触ＩＣカードの使用が許可された場合、少なくとも前記非接触ＩＣカードの明細表示指示と入金指示とが含まれた操作指示を入力させる操作画面を前記ディスプレイに表示させるものであることを特徴としている。
【００１９】
上記車載用情報端末装置（６）によれば、前記非接触ＩＣカードの使用が許可された場合、少なくとも前記非接触ＩＣカードの明細表示指示と入金指示とが含まれた操作指示を入力させる操作画面が表示されるため、前記非接触ＩＣカードの所有者が前記操作画面を介して操作指示を入力し、前記非接触ＩＣカードの明細表示、入金などを行うことができる。
【００２０】
また、本発明に係る車載用情報端末装置（７）は、上記車載用情報端末装置（６）において、前記操作表示手段が、前記操作画面を介して入力された明細表示指示に従って、前記非接触ＩＣカードから読み取ったデータに基づいて、少なくとも前記非接触ＩＣカードの使用履歴と残高とが含まれた情報を前記ディスプレイに表示させるものであることを特徴としている。
上記車載用情報端末装置（７）によれば、少なくとも前記非接触ＩＣカードの使用履歴と残高とが含まれた情報が表示されるため、前記非接触ＩＣカードの使用状況を確認することができる。
【００２１】
また、本発明に係る車載用情報端末装置（８）は、上記車載用情報端末装置（６）又は（７）において、前記処理制御手段が、外部から指定された前記入金指示に従って、外部から指定された入金元の金融機関へ、外部から入力された入金に必要な情報及び入金される非接触ＩＣカードの情報を送信し、前記金融機関に前記非接触ＩＣカードへ入金させるものであることを特徴としている。
【００２２】
上記車載用情報端末装置（８）によれば、前記処理制御手段が、外部から指定された前記入金指示に従って、外部から指定された入金元の金融機関へ、外部から入力された入金に必要な情報及び入金される非接触ＩＣカードの情報を送信し、前記金融機関に前記非接触ＩＣカードへ入金させるため、前記非接触ＩＣカードの所有者がいつでも前記操作画面を操作することにより、前記非接触ＩＣカードに入金することができる。
【００２３】
また、本発明に係る車載用情報端末装置（９）は、上記車載用情報端末装置（４）〜（８）のいずれかにおいて、前記処理制御手段が、使用が許可された非接触ＩＣカードから読み取ったデータに基づいて、該非接触ＩＣカードの残高をチェックし、該残高が所定金額より少ないと判断した場合、前記操作表示手段が前記ディスプレイに入金要求を表示させるものであることを特徴としている。
【００２４】
上記車載用情報端末装置（９）によれば、前記非接触ＩＣカードの残高が所定金額より少ないと判断した場合、入金要求が前記ディスプレイ上に表示されるため、前記非接触ＩＣカードの所有者が使用に備えて予め前記非接触ＩＣカードに入金することができる。
【００２５】
また、本発明に係る車載用情報端末装置（１０）は、上記車載用情報端末装置（４）〜（９）のいずれかにおいて、前記処理制御手段が、使用が許可された非接触ＩＣカードから読み取ったデータに基づいて、該非接触ＩＣカードの残高をチェックし、該残高が所定金額より少ないと判断した場合、前記非接触ＩＣカードに記憶されている入金に必要な入金情報を、該情報の中で指定された金融機関へ送信させ、該金融機関に前記非接触ＩＣカードへ指定金額を入金させることを特徴としている。
【００２６】
上記車載用情報端末装置（１０）によれば、前記非接触ＩＣカードの残高金額が所定金額より少ないと判断した場合、前記非接触ＩＣカードに記憶されている入金に必要な入金情報を、該情報の中で指定された金融機関へ送信され、該金融機関に前記非接触ＩＣカードへ指定金額を入金させるため、前記非接触ＩＣカードの残高が所定金額より少ない場合、操作手間要らずに、入金が自動的に行われるので、車両を運転している人にとって、大変便利である。
【００２７】
また、本発明に係る車載用情報端末装置（１１）は、上記車載用情報端末装置（９）〜（１０）のいずれかにおいて、経路案内を行うナビゲーション手段を更に備えており、前記処理制御手段が、経路案内の目的地が設定された場合、該目的地までの道路使用料金を前記ナビゲーション手段に計算させ、計算された道路使用料金が前記所定金額より高い場合、前記道路使用料金を前記所定金額とすることを特徴としている。
【００２８】
上記車載用情報端末装置（１１）によれば、目的地までの道路使用料金が前記所定金額より高い場合、前記道路使用料金を前記所定金額とするため、前記非接触ＩＣカードにおける残高が前記道路使用料金と比較され、残高が足りない場合、事前に入金することができる。
【００２９】
また、本発明に係る車載用情報端末装置（１２）は、上記車載用情報端末装置（８）〜（１１）のいずれかにおいて、前記処理制御手段が、金融機関から入金実行情報を受け取った場合、入金される非接触ＩＣカードを前記リーダ・ライタ手段に読み取らせる要求を前記操作表示手段を介して前記ディスプレイに表示させ、前記リーダ・ライタ手段を介して、前記入金実行情報を前記非接触ＩＣカードに記憶させることを特徴としている。
【００３０】
上記車載用情報端末装置（１２）によれば、前記処理制御手段が、金融機関から入金実行情報を受け取った場合、入金される非接触ＩＣカードを前記リーダ・ライタ手段に読み取らせる要求を前記操作表示手段を介して前記ディスプレイに表示させ、前記リーダ・ライタ手段を介して、前記入金実行情報を前記非接触ＩＣカードに記憶させるため、前記非接触ＩＣカードへの入金手続を完成することができる。
【００３１】
また、本発明に係る車載用情報端末装置（１３）は、上記車載用情報端末装置（１）〜（１２）のいずれかにおいて、前記処理制御手段が、前記操作表示手段を介して入力された情報を前記非接触ＩＣカードに記憶させるものであることを特徴としている。
【００３２】
上記車載用情報端末装置（１３）によれば、前記操作表示手段を介して入力された情報が前記非接触ＩＣカードに記憶されるため、例えば、入金に関する必要な情報（金融機関名、口座、ＩＤ、パースワードなど）、認証情報、盗難通報宛先、非接触ＩＣカードの利用が可能な施設などの情報を外部操作により、前記非接触ＩＣカード自由に入力することができる。
【００３３】
また、本発明に係る車載用情報端末装置（１４）は、上記車載用情報端末装置（１）〜（１３）のいずれかにおいて、経路案内を行うナビゲーション手段を更に備えており、該ナビゲーション手段が、与えられた指示に従って、前記非接触ＩＣカードに記憶されている施設の所在地を経路案内の目的地とするものであることを特徴としている。
上記車載用情報端末装置（１４）によれば、前記非接触ＩＣカードに記憶されている施設の所在地が経路案内の目的地とすることができるため、操作手間要らずに、前記非接触ＩＣカードが利用される施設へアクセスすることができる。
【００３４】
また、本発明に係る車載用情報端末装置（１５）は、上記車載用情報端末装置（１）〜（１４）のいずれかにおいて、前記操作表示手段が、前記非接触ＩＣカードが利用される施設を他の施設と区別するように表示させるものであることを特徴としている。
上記車載用情報端末装置（１５）によれば、前記非接触ＩＣカードが利用される施設が他の施設と区別されるように表示されるため、施設を検索する時に、前記非接触ＩＣカードの利用が可能か否かを確認することができる。
【００３５】
また、本発明に係る情報センター（１）は、無線通信手段を介して車両装置と通信を行い、常に最新の施設情報及び道路情報を含んだ情報を前記車両装置に提供する情報センターであって、通信手段を介して金融機関と接続されており、前記車両装置と前記金融機関との間で行われる入金情報の通信を中継することを特徴としている。
上記情報センター（１）によれば、通信手段を介して金融機関と接続されており、前記車両装置と前記金融機関との間で行われる入金情報の通信を中継するため、前記車両における非接触ＩＣカードの入金を実現させることができる。
【発明を実施するための最良の形態】
【００３６】
以下、本発明に係る車載用情報端末装置の実施の形態を図面に基づいて説明する。
図１は、本発明の第１の実施の形態に係る車載用情報端末装置を含んで構成された通信システムの要部を概略的に示したブロック図である。図中１Ａは車載用情報端末装置を示しており、車載用情報端末装置１Ａは携帯電話３と接続され、携帯電話３を介して無線通信によりインターネット４へ接続されており、インターネット上から銀行５ａ、郵便局５ｂ、クレジット会社５ｃを含んだ金融機関５、及び非接触ＩＣカード利用可能なネットショップ４１にアクセスすることができるように構成され、また、非接触ＩＣカード２は電磁波通信を介して車載用情報端末装置１Ａと通信することができるように構成されている。
【００３７】
車載用情報端末装置１Ａは、ＧＰＳ受信機１１、車速センサ１２、ジャイロセンサ１３、ＤＶＤデッキ１４、リーダ・ライタ１５、表示＆操作手段１７、音声入出力手段１８、送受信手段１９ａ、マイクロコンピュータ（マイコン）１０ａを含んで構成されている。
また、表示＆操作手段１７には、タッチパネル１７ａ、操作ボタン１７ｂ、ディスプレイ１７ｃ、画像処理手段１７ｄ及びリモコン１７ｅが含まれている。
【００３８】
マイコン１０ａは、ナビゲーション機能を制御するプログラム、施設情報の検索及び表示を制御するプログラム、及び非接触ＩＣカード２の使用を制御するプログラムを含んだ様々な処理プログラムを記憶するＲＯＭ（図示せず）と、処理データを一時的に記憶するＲＡＭ（図示せず）と、前記処理プログラムを実行させるＣＰＵ（図示せず）とを含んで構成されており、ＧＰＳ受信機１１、車速センサ１２、ジャイロセンサ１３、ＤＶＤデッキ１４、リーダ・ライタ１５、タッチパネル１７ａ、操作ボタン１７ｂ、ディスプレイ１７ｃ、画像処理手段１７ｄ、音声入出力手段１８及び送受信手段１９ａとそれぞれ接続されている。
【００３９】
ＧＰＳ受信機１１はＧＰＳ衛星からの信号を受信して車両の位置を計算し、車速センサ１２は車輪の回転速度を検出し、ジャイロセンサ１３は車両の方向を検出し、ＤＶＤデッキ１４は、ＣＤまたはＤＶＤなどの記憶媒体に記録されているデータを読み取るようになっている。
リーダ・ライタ１５は、内蔵されたアンテナ（図示せず）と非接触ＩＣカード２に内蔵されたアンテナ（図示せず）との間の電磁波通信により、非接触ＩＣカード２に記憶されているデータを読み取り、または、データを非接触ＩＣカード２に書き込むようになっている。
【００４０】
画像処理手段１７ｄは、地図情報、経路案内情報、施設情報、及び非接触ＩＣカード１５に記憶されている情報などに基づいて様々な画像を合成し、ディスプレイ１７ｃは合成された画像を表示し、操作ボタン１７ｂ、リモコン１７ｅ及びタッチパネル１７ａを介して外部からの操作指令などが入力可能となっている。  
音声入出力手段１８は、集音手段（図示せず）を介して収集した音声を認識して入力し、スピーカ（図示せず）を介して音声案内を出力するようになっている。
【００４１】
送受信手段１９ａは、車内通信ネットワークまたはアンテナ（図示せず）を介して外部と通信する一方、携帯電話３を介してインターネットへ接続されるようになっている。
マイコン１０ａは、ＧＰＳ受信機１１、車速センサ１２及びジャイロセンサ１３からの測定信号及び地図情報に基づいて、現在位置を特定し、タッチパネル１７ａ、リモコン１７ｅ及び／又は操作ボタン１７ｂを介して入力された操作指令に従って、経路探索又は施設検索を行い、地図情報、経路案内情報及び／又は施設情報をディスプレイ１７ｃ上に表示させるようになっている。
【００４２】
また、マイコン１０ａは、タッチパネル１７ａ、リモコン１７ｅ及び／又は操作ボタン１７ｂを介して入力された操作指令に従って、送受信手段１９ａに接続されている携帯電話を介してインターネット４へ接続し、インターネット４を利用するためのウェブネットワークブラウザーをディスプレイ１７ｃ上に表示させるようになっている。
【００４３】
また、マイコン１０ａは、リーダ・ライタ１５により非接触ＩＣカード２を検出した場合、該非接触ＩＣカード２の所有者のＩＤとパースワード（ＰＷ）を入力させる画面（図２（ａ））をディスプレイ１７ｃ上に表示させ、タッチパネル１７ａ、リモコン１７ｅ又は操作ボタン１７ｂを介して入力されたＩＤ、ＰＷが非接触ＩＣカード２に記憶されているＩＤ、ＰＷと一致しない場合、再入力を要求する画面（図２（ｂ））をディスプレイ１７ｃ上に表示させ、再入力回数が所定回数（例えば３回）を越えた場合、図２（ｃ）に示したように、「本カードの使用が拒否されました！」とのメッセージをディスプレイ１７ｃ上に表示させ、他方、入力されたＩＤ、ＰＷが非接触ＩＣカード２に記憶されているＩＤ、ＰＷとそれぞれ一致した場合、非接触ＩＣカードの利用メニュー（図２（ｄ））をディスプレイ１７ｃ上に表示させるようになっている。
【００４４】
図２（ｄ）に示した非接触ＩＣカードの利用メニューにおいて、「明細表示」、「入金」及び「ショッピング」の項目が設けられており、「明細表示」が選択されると、電子マネーとする非接触ＩＣカード（以下、非接触ＩＣカードと簡略する）２から読み取ったデータに基づいて、非接触ＩＣカードの使用履歴、残高などを含んだ情報がディスプレイ１７ｃ上に表示され、「入金」又は「ショッピング」が選択されると、インターネット４を利用するためのウェブネットワークブラウザーがディスプレイ１７ｃ上に表示され、「閉じる」が選択されると、非接触ＩＣカード２が検出される前の画面に戻るようになっている。
【００４５】
インターネット４上から、予め登録された銀行５ａ、郵便局５ｂ、又はクレジット会社５ｃのインターネットバンキングを利用するためのウェブサイトを開き、開かれたウェブサイトの画面指示に従って予め登録された口座から非接触ＩＣカード２へ入金することができる。又は、非接触ＩＣカード２の利用が可能なネットショップ４１のウェブサイトを開き、購入代金を接触ＩＣカード２より決済することもできる。
【００４６】
図３（ａ）は、非接触ＩＣカード２への入金又は非接触ＩＣカード２による決済が行われた場合の表示画面を示す図である。図３（ａ）に示したように、「カードを読み取らせてください」とのメッセージが表示される。該メッセージの指示に従って、入金される非接触ＩＣカード２をリーダ・ライタ１５にかざすと、入金又は決済に関する情報が該非接触ＩＣカード２に書き込まれて、入金又は決済の手続が完了する。
その後、入金が行われた場合、図３（ｂ）に示したように、入金結果が画面に表示される。入金情報において、入金元の金融機関に関する情報、入金される金額及び残高が表示される。
また、決済が行われた場合、図３（ｃ）に示したように、決済結果が画面に表示される。決済結果において、支払先に関する情報、支払額及び残高が表示される。
【００４７】
次に、マイコン１０ａが行う非接触ＩＣカード２の利用に関する処理（Ａ）の動作を図４に示したフローチャートに基づいて説明する。図４に示したように、まず、ステップＳ１では、非接触ＩＣカード２が検出されたと判断したら、ステップＳ２に進む。ステップＳ２では、制御引数Ｋを０に設定し、その後ステップＳ３に進む。ステップＳ３では、非接触ＩＣカード２に記憶されているデータを読み込み、その後ステップＳ４に進む。
【００４８】
ステップＳ４では、検出された非接触ＩＣカード２のユーザＩＤ及びパースワード（ＰＷ）を入力させる画面（図２（ａ））をディスプレイ１７ｃ上に表示させ、その後ステップＳ５に進む。ステップＳ５では、外部から入力されたユーザＩＤが検出された非接触ＩＣカード２に記憶されているユーザＩＤと一致するか否かを判断し、入力されたユーザＩＤが検出された非接触ＩＣカード２に記憶されているユーザＩＤと一致しないと判断した場合、ステップＳ８へ飛び、他方、入力されたユーザＩＤが検出された非接触ＩＣカード２に記憶されているユーザＩＤと一致したと判断した場合、ステップＳ６に進む。
【００４９】
ステップＳ６では、外部から入力されたＰＷが検出された非接触ＩＣカード２に記憶されているＰＷと一致するか否かを判断し、入力されたＰＷが検出された非接触ＩＣカード２に記憶されているＰＷと一致しないと判断した場合、ステップＳ８へ飛び、他方、入力されたＰＷが検出された非接触ＩＣカード２に記憶されているＰＷと一致したと判断した場合、ステップＳ７に進む。ステップＳ７では、非接触ＩＣカード２の利用メニュー画面（図２（ｄ））をディスプレイ１７ｃに表示させる。
【００５０】
一方、ステップＳ８では、検出された非接触ＩＣカード２のユーザＩＤ及びＰＷを再入力させる画面（図２（ｂ））をディスプレイ１７ｃ上に表示させ、その後ステップＳ９に進む。ステップＳ９では、制御引数Ｋに１を増やして、その後ステップＳ１０に進む。ステップＳ１０では、制御引数Ｋが所定回数（例えば、３）より大きくなっているか否かを判断し、制御引数Ｋが３より大きくなっていない場合と判断した場合、ステップＳ５へ戻り、他方、制御引数Ｋが３より大きくなった場合と判断した場合、ステップＳ１１に進む。ステップＳ１１では、検出された非接触ＩＣカード２の使用を拒否する表示画面（図２（ｃ））をディスプレイ１７ｃ上に表示させ、その後ステップＳ１へ戻る。
【００５１】
一方、ステップＳ１２では、図２（ｄ）に示した表示画面における「明細表示」が選択されたか否かを判断し、「明細表示」が選択されていないと判断した場合、ステップＳ１４へ飛び、他方、「明細表示」が選択されたと判断した場合、ステップＳ１３に進む。ステップＳ１３では、検出された非接触ＩＣカード２に記憶されているデータに基づいて、非接触ＩＣカード２の使用履歴、残高が含まれた使用明細をディスプレイ１７ｃ上に表示させ、その後ステップ１４に進む。
【００５２】
ステップＳ１４では、図２（ｄ）に示した表示画面における「入金」が選択されたか否かを判断し、「入金」が選択されたと判断した場合、ステップＳ１７へ飛び、他方、「入金」が選択されていないと判断した場合、ステップＳ１５に進む。ステップＳ１５では、図２（ｄ）に示した表示画面における「ショッピング」が選択されたか否かを判断し、「ショッピング」が選択されたと判断した場合、ステップＳ１７へ飛び、他方、「ショッピング」が選択されていないと判断した場合、ステップＳ１６に進む。ステップＳ１６では、図２（ｄ）に示した表示画面における「閉じる」が選択されたか否かを判断し、「閉じる」が選択されたと判断した場合、ステップＳ１へ戻り、他方、「閉じる」が選択されていないと判断した場合、ステップＳ１２に戻る。
一方、ステップＳ１７では、インターネットを利用するためのウェブネットワークブラウザーをディスプレイ１７ｃ上に表示させ、その後処理Ｂに進む。
【００５３】
次に、図５に示したフローチャートに基づいて処理Ｂの動作を説明する。まず、ステップＳ２０では、入金元の金融機関５（銀行５ａ、郵便局５ｂ又はクレジット会社５ｃ）より入金情報が要求されたか否かを判断し、入金情報が要求されていないと判断した場合、ステップＳ２７へ飛び、他方、入金情報が要求されたと判断した場合、ステップＳ２１に進む。ステップＳ２１では、入金される非接触ＩＣカード２に記憶されているデータ及び外部から入力されたデータに基づいて、要求された入金情報を入金元の金融機関５へ送信させ、その後ステップＳ２２に進む。
【００５４】
ステップＳ２２では、入金元の金融機関５から入金実行情報を受け取ったと判断したら、ステップＳ２３に進む。ステップＳ２３では、入金される非接触ＩＣカード２をリーダ・ライタ１５に読み取らせることを要求する表示画面（図３（ａ））をディスプレイ１７ｃ上に表示させ、その後ステップ２４に進む。ステップＳ２４では、リーダ・ライタ１５により非接触ＩＣカード２を検出したか否かを判断し、非接触ＩＣカード２を検出していないと判断した場合、ステップＳ２３に戻り、他方、非接触ＩＣカード２を検出したと判断した場合、ステップＳ２５に進む。ステップＳ２５では、入金元の金融機関から受け取った入金実行情報をリーダ・ライタ１５を介して非接触ＩＣカード２に書き込ませ、その後ステップＳ２６に進む。
ステップＳ２６では、入金元の金融機関、入金額、及び残高を表示する入金結果を表示する表示画面（図３（ｂ））をディスプレイ１７ｃ上に表示させ、その後ステップＳ２７に進む。
【００５５】
ステップＳ２７では、ネットショッピングが行われたネットショップ４１から決済情報が要求されたか否かを判断し、決済情報が要求されていないと判断した場合、ステップＳ１７（図４）へ戻り、他方、決済情報が要求されたと判断した場合、ステップＳ２８に進む。ステップＳ２８では、決済する非接触ＩＣカード２に記憶されているデータ及び外部から入力されたデータに基づいて、要求された決済情報をネットショップ４１へ送信させ、その後ステップＳ２９に進む。
【００５６】
ステップＳ２９では、ネットショッピングが行われたネットショップ４１から決済情報を受け取ったと判断したら、ステップＳ３０に進む。ステップＳ３０では、決済する非接触ＩＣカード２をリーダ・ライタ１５に読み取らせることを要求する表示画面（図３（ａ））をディスプレイ１７ｃ上に表示させ、その後ステップ３１に進む。ステップＳ３１では、リーダ・ライタ１５により非接触ＩＣカード２を検出したか否かを判断し、非接触ＩＣカード２を検出していないと判断した場合、ステップＳ３０に戻り、他方、非接触ＩＣカード２を検出したと判断した場合、ステップＳ３２に進む。ステップＳ３２では、ネットショッピングが行われたネットショップ４１から受け取った決済情報をリーダ・ライタ１５を介して非接触ＩＣカード２に書き込ませ、その後ステップＳ３３に進む。
【００５７】
ステップＳ３３では、ネットショッピングが行われたネットショップ４１に関する情報、支払額、及び残高を含んだ決済結果を表示する画面（図３（ｃ））をディスプレイ１７ｃ上に表示させ、その後ステップＳ１７（図４）に戻る。
【００５８】
上記第１の実施の形態に係る車載用情報端末装置によれば、非接触ＩＣカードに記憶されている情報（例えば、使用明細）を確認することが可能となり、また、インターネットバンキングにより非接触ＩＣカード２に入金し、ネットショッピングを行った場合、非接触ＩＣカード２で購買代金を決済することができるので、車内における非接触ＩＣカードの利用を実現させることができる。
【００５９】
図６は、本発明の第２の実施の形態に係る車載用情報端末装置を含んで構成された通信システムの要部を概略的に示したブロック図である。図中１Ｂは車載用情報端末装置を示しており、車載用情報端末装置１Ｂは、無線通信手段を介して金融機関５（銀行５ａ、郵便局５ｂ及びクレジット会社５ｃ）と接続されている情報センター６に接続されており、また、非接触ＩＣカード２は電磁波通信を介して車載用情報端末装置１Ｂと通信することができるように構成されている。
【００６０】
車載用情報端末装置１Ｂは、ＧＰＳ受信機１１、車速センサ１２、ジャイロセンサ１３、ＤＶＤデッキ１４、リーダ・ライタ１５、表示＆操作手段１７、音声入出力手段１８、送受信手段１９ｂ、マイクロコンピュータ（マイコン）１０ｂを含んで構成されている。
また、表示＆操作手段１７には、タッチパネル１７ａ、操作ボタン１７ｂ、ディスプレイ１７ｃ、画像処理手段１７ｄ及びリモコン１７ｅが含まれている。
【００６１】
マイコン１０ｂは、ナビゲーション機能を制御するプログラム、施設情報の検索及び表示を制御するプログラム、及び非接触ＩＣカード２の使用を制御するプログラムを含んだ様々な処理プログラムを記憶するＲＯＭ（図示せず）と、処理データを一時的に記憶するＲＡＭ（図示せず）と、前記処理プログラムを実行させるＣＰＵ（図示せず）とを含んで構成されており、ＧＰＳ受信機１１、車速センサ１２、ジャイロセンサ１３、ＤＶＤデッキ１４、リーダ・ライタ１５、タッチパネル１７ａ、操作ボタン１７ｂ、ディスプレイ１７ｃ、画像処理手段１７ｄ、音声入出力手段１８及び送受信手段１９ｂとそれぞれ接続されている。
【００６２】
ＧＰＳ受信機１１はＧＰＳ衛星からの信号を受信して車両の位置を計算し、車速センサ１２は車輪の回転速度を検出し、ジャイロセンサ１３は車両の方向を検出し、ＤＶＤデッキ１４は、ＣＤまたはＤＶＤなどの記憶媒体に記録されているデータを読み取るようになっている。
【００６３】
リーダ・ライタ１５は、内蔵されたアンテナ（図示せず）と非接触ＩＣカード２に内蔵されたアンテナ（図示せず）との間の電磁波通信により、非接触ＩＣカード２に記憶されているデータを読み取り、または、データを非接触ＩＣカード２に書き込むようになっている。
【００６４】
画像処理手段１７ｄは、地図情報、経路案内情報、施設情報、及び非接触ＩＣカード１５に記憶されている情報などに基づいて様々な画像を合成し、ディスプレイ１７ｃは合成された画像を表示し、操作ボタン１７ｂ、リモコン１７ｅ及びタッチパネル１７ａを介して外部からの操作指令などが入力可能となっている。  
【００６５】
音声入出力手段１８は、集音手段（図示せず）を介して収集した音声を認識して入力し、スピーカ（図示せず）を介して音声案内を出力するようになっている。
送受信手段１９ｂは、無線通信手段を介して情報センター６と接続されるように構成されている。
【００６６】
マイコン１０ｂは、ＧＰＳ受信機１１、車速センサ１２及びジャイロセンサ１３からの測定信号及び地図情報に基づいて、現在位置を特定し、タッチパネル１７ａ、リモコン１７ｅ及び／又は操作ボタン１７ｂを介して入力された操作指令に従って、経路探索又は施設検索などを行い、地図情報、経路案内情報及び／又は施設情報をディスプレイ１７ｃ上に表示させるようになっている。
【００６７】
また、マイコン１０ｂは、リーダ・ライタ１５により非接触ＩＣカード２を検出した場合、該非接触ＩＣカード２の所有者のＩＤとパースワード（ＰＷ）を入力させる画面（図７（ａ））をディスプレイ１７ｃ上に表示させ、タッチパネル１７ａ、リモコン１７ｅ又は操作ボタン１７ｂを介して入力されたＩＤ、ＰＷが非接触ＩＣカード２に記憶されているＩＤ、ＰＷと一致しない場合、再入力を要求する画面（図７（ｂ））をディスプレイ１７ｃに表示させ、再入力回数が所定回数（例えば３回）を越えた場合、図７（ｃ）に示したように、「本カードの使用が拒否されました！」とのメッセージを表示させ、他方、入力されたＩＤ、ＰＷが非接触ＩＣカード２に記憶されているＩＤ、ＰＷとそれぞれ一致した場合、非接触ＩＣカードの利用メニュー（図７（ｄ））をディスプレイ１７ｃ上に表示させるようになっている。
【００６８】
図７（ｄ）に示した非接触ＩＣカード２の利用メニューにおいて、「明細表示」、「自動入金」、「手動入金」、「お気に入り情報」及び「利用条件の設定」の項目が設けられており、「明細表示」が選択されると、非接触ＩＣカード２から読み取ったデータに基づいて、前記非接触ＩＣカード２の使用履歴、残高などが含まれた情報がディスプレイ１７ｃ上に表示されるようになっている。
【００６９】
「自動入金」が選択されると、非接触ＩＣカード２の残高が該非接触ＩＣカード２に設定された所定金額より少ない場合、非接触ＩＣカード２に記憶された入金に必要な情報（入金元の金融機関名、口座番号、ＩＤ番号、パースワード、入金額など）を検出し、情報センター６を介して、入金元の金融機関へ前記入金に必要な情報を送信し、入金元の金融機関に非接触ＩＣカード２へ入金額を入金させるようになっている。なお、非接触ＩＣカード２から入金に必要な情報が検出されなかった場合、図８（ａ）に示したお知らせ画面が表示されるようになっている。
【００７０】
また、利用メニューにおける「手動入金」が選択されると、入金情報を入力させる画面（図８（ｂ））が表示されるようになり、該画面に表示されている金融機関の入力欄に入金元の金融機関名、口座の入力欄に登録口座の番号を入力し、ユーザＩＤの入力欄に前記口座のユーザＩＤ番号を入力し、ＰＷの入力欄に前記口座のパースワードを入力し、入金額の入力欄に入金される金額を入力した上、「実行」を選択すれば、入力された情報、入金される非接触ＩＣカード２におけるカードの情報及び入金指示が情報センター６を介して入金元の金融機関に送信され、該金融機関が受信した情報に基づいて、入金が要求された非接触ＩＣカード２へ入金を行うようになっている。
【００７１】
また、上記した「自動入金」又は「手動入金」が選択され、入金が行われた場合、送受信手段１９ｂが入金元の金融機関から入金実行情報を受け取ったら、マイコン１０ｂが非接触ＩＣカード２をリーダ・ライタ１５に読み取らせることを要求するメッセージを表示する画面（図８（ｃ））をディスプレイ１７ｃ上に表示させ、その後、リーダ・ライタ１５より非接触ＩＣカード２を検出したら、入金元の金融機関から受信した入金実行情報を該非接触ＩＣカード２に書き込ませる一方、入金元の情報、入金された金額及び残高を表示する画面（図８（ｄ））ディスプレイ１７ｃに表示させるようになっている。
なお、入金情報が正しくないため、入金元の金融機関に入金が拒否された場合、図８（ａ）に示したお知らせ画面が表示されるようになっている。
【００７２】
また、利用メニューにおける「お気に入り情報」が選択されると、非接触ＩＣカード２に記憶された施設情報などが記憶されている場合、その施設情報を表示する画面（図９）がディスプレイ１７ｃ上に表示され、表示された施設のいずれかを選択し、さらに「目的地」を選択すれば、選択された施設の所在地が経路案内の目的地となる。また、図９に示した画面に、お気に入り施設情報の入力欄が設けられており、該入力欄に施設情報を入力して、「登録」を選択すれば、非接触ＩＣカードを読み取らせる指示（図８（ｃ））が表示され、該指示に従って、非接触ＩＣカード２をリーダ・ライタ１５にかざすと、入力された施設情報が非接触ＩＣカード２に登録されるようになっている。
【００７３】
また、利用メニューにおける「利用条件の設定」が選択されると、残高確認、通報宛先及び自動入金に関する情報を設定するための画面（図１０）が表示されるようになる。図１０に示した画面において、「残高確認」を「ＯＮ」又は「ＯＦＦ」に設定するボタンと、残高確認を行う場合の限界金額（即ち、所定金額）の入力欄と、通報宛先のメールアドレスの入力欄と、ＩＤ、ＰＷの入力回数の制限回数の入力欄と、自動入金する金額の入力欄と、自動入金元の金融機関の入力欄と、前記金融機関の口座番号の入力欄と、前記口座のユーザＩＤ、ＰＷの入力欄が設けられている。
【００７４】
「残高確認」が「ＯＮ」に設定されている場合、非接触ＩＣカード２の残高が「限界金額」の入力欄に入力された金額より少ない場合、残高が所定金額より少なくなっていることを知らせるメッセージ（図１１）が画面に表示され、該メッセージ下に表示されている「自動入金」又は「手動入金」を選択すれば、上記した入金が行われる。
【００７５】
また、経路案内の目的地が設定された場合、該目的地までの道路使用料金が設定された限界金額より高い場合、該道路使用料金を使用される非接触ＩＣカード２の残高と比較し、残高が道路使用料金より少ない場合、残高が少なくなっていることを知らせるメッセージ（図１１）が画面に表示され、該画面の下に表示されている「自動入金」又は「手動入金」を選択すれば、上記した入金が行われる。
【００７６】
また、「通報宛先」の入力欄に入力されたメールアドレスが非接触ＩＣカード２に記憶され、入力された非接触ＩＣカードのＩＤ又はＰＷが非接触ＩＣカード２に記憶されているＩＤ又はＰＷと一致しない回数が「制限回数」の入力欄に入力された回数を超えた場合、「通報宛先」の入力欄に入力されたメールアドレスへカードの不正使用を通報するメールが送信されるようになっている。
【００７７】
また、図１０に示した画面における自動入金情報の枠における各入力欄に入力された情報が使用される非接触ＩＣカード２に書き込まれるようになり、上記した「自動入金」が選択された場合、前記自動入金情報の枠に入力された情報が入金情報として採用されるようになっている。
【００７８】
一方、情報センター６は、常に最新の施設情報及び道路情報を含んだ情報を車載用情報端末１Ｂに伝送し、送受信手段１９ｂから受信した入金情報を指定された金融機関５（銀行５ａ、郵便局５ｂ又はクレジット会社５ｃ）へ送り、前記金融機関から受け取った入金に関する情報を送受信手段１９ｂへ送信するようになっている。
また、情報センター６は、施設に関する非接触ＩＣカード２の利用状況を示す情報を車載用情報端末１Ｂに伝送するようになっている。
【００７９】
マイコン１０ｂは、情報センター６より伝送された施設に関する非接触ＩＣカード２の利用状況を示す情報に基づいて、図１２に示したように、非接触ＩＣカード２の利用がされる施設（即ち、南港映画館、近代シィティ映画館、海景映画館）の横に特別な印を付けるように施設情報を表示させるようになっている。
【００８０】
次に、マイコン１０ｂが行う非接触ＩＣカード２の利用に関する処理（Ｄ）の動作を図１３に示したフローチャートに基づいて説明する。図１３に示したように、まず、ステップＳ５１では、非接触ＩＣカード２が検出されたと判断したら、ステップＳ５２に進む。ステップＳ５２では、非接触ＩＣカード２に記憶されているデータを読み込み、その後ステップＳ５３に進む。ステップＳ５３では、制限回数ＫＬを検出し、制御引数Ｋを０に設定し、その後ステップＳ５４に進む。ステップＳ５４では、検出された非接触ＩＣカード２のユーザＩＤ及びパースワード（ＰＷ）を入力させる画面（図７（ａ））を表示させ、その後ステップＳ５５に進む。ステップＳ５５では、外部から入力されたユーザＩＤが検出された非接触ＩＣカード２に記憶されているユーザＩＤと一致するか否かを判断し、入力されたユーザＩＤが検出された非接触ＩＣカード２に記憶されているユーザＩＤと一致しないと判断した場合、ステップＳ５７に進み、他方、入力されたユーザＩＤが検出された非接触ＩＣカード２に記憶されているユーザＩＤと一致したと判断した場合、ステップＳ５６に進む。ステップＳ５６では、外部から入力されたＰＷが検出された非接触ＩＣカード２に記憶されているＰＷと一致するか否かを判断し、入力されたＰＷが検出された非接触ＩＣカード２に記憶されているＰＷと一致したと判断した場合、処理Ｅへ飛び、他方、入力されたＰＷが検出された非接触ＩＣカード２に記憶されているＰＷと一致しないと判断した場合、ステップＳ５７に進む。
【００８１】
ステップＳ５７では、検出された非接触ＩＣカード２のユーザＩＤ及びＰＷを再入力させる画面（図７（ｂ））を表示させ、その後ステップＳ５８に進む。ステップＳ５８では、制御引数Ｋに１を増やして、その後ステップＳ５９に進む。ステップＳ５９では、制御引数Ｋが制限回数ＫＬより大きくなっているか否かを判断し、制御引数Ｋは制限回数ＫＬより大きくなっていないと判断した場合、ステップＳ５５へ戻り、他方、制御引数ＫはＫＬより大きくなったと判断した場合、ステップＳ６０に進む。ステップＳ６０では、検出された非接触ＩＣカード２の使用を拒否する表示画面（図７（ｃ））を表示させ、その後ステップＳ６１に進む。
【００８２】
ステップＳ６１では、非接触ＩＣカード２に記憶されている通報先のメールアドレスを検出し、その後ステップＳ６２に進む。ステップＳ６２では、検出された非接触ＩＣカード２の不正使用を知らせるメールを前記通報先に送信し、その後ステップＳ５１へ戻る。
【００８３】
次に、図１４に示したフローチャートに基づいて処理Ｅの動作を説明する。図１４に示したように、まず、ステップＳ７１では、利用条件の設定データ（図１０）を読み込み、その後、ステップＳ７２に進む。ステップＳ７２では、残高確認が「ＯＮ」になっているか否かをチェックし、残高確認が「ＯＮ」になっていないと判断した場合、ステップＳ８３へ飛び、他方、残高確認が「ＯＮ」になっていると判断した場合、ステップＳ７３に進む。
【００８４】
ステップＳ７３では、検出された非接触ＩＣカード２の残高ＢＰを確認し、その後、ステップＳ７４に進む。ステップＳ７４では、経路案内の目的地が設定されたか否かを判断し、経路案内の目的地が設定されていないと判断した場合、ステップＳ７７へ飛び、他方、経路案内の目的地が設定されたと判断した場合、ステップＳ７５に進む。ステップＳ７５では、設定された目的地までの道路使用料金ＲＰを計算し、その後ステップＳ７６に進む。ステップＳ７６では、道路使用料金ＲＰが残高ＢＰより大きいか否かを判断し、道路使用料金ＲＰが残高ＢＰより大きいと判断した場合、ステップＳ７９へ飛び、他方、道路使用料金ＲＰは残高ＢＰより大きいでないと判断した場合、ステップＳ７７に進む。
【００８５】
ステップＳ７７では、利用条件の設定データから限界金額ＬＰを検出し、その後ステップＳ７８に進む。ステップＳ７８では、限界金額ＬＰが残高ＢＰより大きいか否かを判断し、限界金額ＬＰが残高ＢＰより大きいでないと判断した場合、ステップＳ８３へ飛び、他方、限界金額ＬＰが残高ＢＰより大きいと判断した場合、ステップＳ７９に進む。ステップＳ７９では、入金要求を示す画面（図１１）を表示させ、その後、ステップＳ８０に進む。
【００８６】
ステップＳ８０では、「自動入金」が選択されたか否かを判断し、「自動入金」が選択されたと判断した場合、処理Ｇへ飛び、他方、「自動入金」が選択されていないと判断した場合、ステップＳ８１に進む。ステップＳ８１では、「手動入金」が選択されたか否かを判断し、「手動入金」が選択されたと判断した場合、処理Ｈへ飛び、他方、「手動入金」が選択されていないと判断した場合、ステップＳ８２に進む。ステップＳ８２では、「閉じる」が選択されたか否かを判断し、「閉じる」が選択されていないと判断した場合、ステップＳ８０へ戻り、他方、「閉じる」が選択されたと判断した場合、ステップＳ８３に進む。  ステップＳ８３では、非接触ＩＣカードの利用メニュー（図７（ｄ））を表示させ、その後、処理Ｆへ進む。
【００８７】
次に、図１５に示すフローチャートに基づいて処理Ｆの動作を説明する。図１５に示したように、まず、ステップＳ９１では、利用メニュー画面（図７（ｄ））における「明細表示」が選択されたか否かを判断し、「明細表示」が選択されたと判断した場合、ステップＳ９７へ飛び、他方、「明細表示」が選択されていないと判断した場合、ステップＳ９２に進む。
【００８８】
ステップＳ９２では、利用メニュー画面（図７（ｄ））における「自動入金」が選択されたか否かを判断し、「自動入金」が選択されたと判断した場合、処理Ｇへ飛び、他方、「自動入金」が選択されていないと判断した場合、ステップＳ９３に進む。ステップＳ９３では、利用メニュー画面（図７（ｄ））おける「手動入金」が選択されたか否かを判断し、「手動入金」が選択されたと判断した場合、処理Ｈへ飛び、他方、「手動入金」が選択されていないと判断した場合、ステップＳ９４に進む。
【００８９】
ステップＳ９４では、利用メニュー画面（図７（ｄ））における「お気に入り情報」が選択されたか否かを判断し、「お気に入り情報」が選択されたと判断した場合、処理Ｉへ飛び、他方、「お気に入り情報」が選択されていないと判断した場合、ステップＳ９５に進む。ステップＳ９５では、利用メニュー画面（図７（ｄ））における「利用条件の設定」が選択されたか否かを判断し、「利用条件の設定」が選択されたと判断した場合、処理Ｊへ飛び、他方、「利用条件の設定」が選択されていないと判断した場合、ステップＳ９６に進む。ステップＳ９６では、利用メニュー画面（図７（ｄ））における「閉じる」が選択されたか否かを判断し、「閉じる」が選択されていないと判断した場合、ステップＳ９１へ戻り、他方、「閉じる」が選択されたと判断した場合、ステップＳ５１（図１３）へ戻る。
【００９０】
一方、ステップＳ９７では、検出された非接触ＩＣカードから読み取られたデータに基づいて、使用履歴、残高などの情報を含んだ使用明細（図示せず）を表示させる。
【００９１】
次に、図１６に示したフローチャートに基づいて処理Ｇの動作を説明する。まず、ステップＳ１０２では、入金に必要な情報（入金元の金融機関の情報、口座番号、ユーザＩＤとＰＷ、入金額など）を検出したか否かを判断し、入金に必要な情報が検出されないと判断した場合、ステップＳ１１０へ飛び、他方、入金に必要な情報が検出されたと判断した場合、入金情報（入金元の金融機関、口座番号、入金額、ユーザＩＤ及びＰＷなど）及び入金指示を情報センター６を介して入金元の金融機関へ送信させ、その後ステップＳ１０４に進む。
【００９２】
ステップＳ１０４では、入金元の金融機関から入金実行情報を受け取ったか否かを判断し、入金実行情報を受け取っていないと判断した場合、ステップＳ１１０へ飛び、他方、入金実行情報を受け取ったと判断した場合、ステップＳ１０５へ進む。ステップＳ１０５では、入金される非接触ＩＣカード２をリーダ・ライタ１５に読み取らせる指示（図８（ｃ））を表示させ、その後ステップＳ１０６に進む。ステップＳ１０６では、入金される非接触ＩＣカード２を検出したと判断したら、ステップＳ１０７に進む。ステップＳ１０７では、受け取った入金実行情報を入金される非接触ＩＣカード２に書き込ませ、その後ステップＳ１０８に進む。ステップＳ１０８では、入金結果表示画面（図８（ｄ））を表示させ、その後ステップＳ１０９に進む。ステップＳ１０９では、入金結果表示画面における「閉じる」が選択されたと判断したら、ステップＳ８３（図１４）へ戻る。
【００９３】
一方、ステップＳ１１０では、入金が実行されないことを知らせるメッセージ（図８（ａ））を画面に表示させ、その後ステップＳ８３へ戻る。
【００９４】
次に、図１７に示したフローチャートに基づいて処理Ｈの動作を説明する。まず、ステップＳ１２１では、入金するための入金情報を入力させる画面（図８（ｂ））を表示させ、その後ステップＳ１２２へ進む。ステップＳ１２２では、入金に必要な情報（入金元の金融機関の情報、口座番号、ユーザＩＤ、パースワードＰＷ、入金額など）を検出したか否かを判断し、入金に必要な情報が検出されないと判断した場合、ステップＳ１３０へ飛び、他方、入金に必要な情報が検出されたと判断した場合、入金情報（入金元の金融機関、口座番号、入金額、ユーザＩＤ及びＰＷなど）及び入金指示を情報センター６を介して入金元の金融機関へ送信させ、その後ステップＳ１２４に進む。
【００９５】
ステップＳ１２４では、入金元の金融機関から入金実行情報を受け取ったか否かを判断し、入金結果を受け取っていないと判断した場合、ステップＳ１３０へ飛び、他方、入金結果を受け取ったと判断した場合、ステップＳ１２５へ進む。ステップＳ１２５では、入金される非接触ＩＣカード２をリーダ・ライタ１５に読み取らせる指示画面（図８（ｃ））を表示させ、その後ステップＳ１２６に進む。ステップＳ１２６では、非接触ＩＣカード２を検出したと判断したら、ステップＳ１２７に進む。ステップＳ１２７では、受け取った入金実行情報を入金される非接触ＩＣカード２に書き込ませ、その後ステップＳ１２８に進む。ステップＳ１２８では、入金結果表示画面（図８（ｄ））を表示させ、その後ステップＳ１２９に進む。ステップＳ１２９では、前記入金結果表示画面（図８（ｄ））における「閉じる」が選択されたと判断したら、ステップＳ８３（図１４）へ戻る。
一方、ステップＳ１３０では、入金が実行されないことを知らせるメッセージ（図８（ａ））を画面に表示させ、その後ステップＳ８３へ戻る。
【００９６】
次に、図１８に示したフローチャートに基づいて処理Ｉの動作を説明する。まず、ステップＳ１５１では、お気に入り情報を表示する画面（図９）を表示させ、その後ステップＳ１５２に進む。ステップＳ１５２では、お気に入り情報を表示する画面における入力欄を介して施設情報が入力されたか否かを判断し、施設情報が入力されていないと判断した場合、ステップＳ１５６へ飛び、他方、施設情報が入力されたかと判断した場合、ステップＳ１５３に進む。ステップＳ１５３では、使用される非接触ＩＣカード２をリーダ・ライタ１５に読み取らせる指示（図８（ｃ））を表示させ、その後ステップＳ１５４に進む。ステップＳ１５４では、非接触ＩＣカード２を検出したと判断したら、ステップＳ１５５に進む。ステップＳ１５５では、入力された施設情報を非接触ＩＣカード２に書き込ませ、その後ステップＳ１５６に進む。
【００９７】
ステップＳ１５６では、お気に入り情報を表示する画面（図９）に表示されている施設が選択されたか否かを判断し、前記施設が選択されていないと判断した場合、ステップＳ１５９へ飛び、他非、前記施設が選択されたと判断した場合、ステップＳ１５７に進む。ステップＳ１５７では、お気に入り情報を表示する画面（図９）における「目的地とする」が選択されたか否かを判断し、「目的地とする」が選択されていないと判断した場合、ステップＳ１５９へ飛び、他方、「目的地とする」が選択されたと判断した場合、ステップＳ１５８に進む。
【００９８】
ステップＳ１５８では、お気に入り情報を表示する画面から選択された施設の所在地を経路案内の目的地と設定し、その後ステップＳ８３（図１４）へ戻る。一方、ステップＳ１５９では、お気に入り情報を表示する画面（図９）における「閉じる」が選択されたか否かを判断し、「閉じる」が選択されたと判断した場合、ステップＳ８３へ戻り、他方、「閉じる」が選択されていないと判断した場合、ステップＳ１５２へ戻る。
【００９９】
次に、図１９に示したフローチャートに基づいて処理Ｊの動作を説明する。まず、ステップＳ１８１では、利用条件の設定画面（図１０）を表示させ、その後ステップＳ１８２に進む。ステップＳ１８２では、利用条件の設定画面における入力欄を介して一部又はすべての利用条件が入力されたか否かを判断し、前記利用条件が入力されていないと判断した場合、ステップＳ１８７へ飛び、他方、前記利用条件が入力されたと判断した場合、ステップＳ１８３に進む。ステップＳ１８３では、利用条件の設定画面における「設定」が選択されたか否かを判断し、「設定」が選択されていないと判断した場合、ステップＳ１８７へ飛び、他方、「設定」が選択されたと判断した場合、ステップＳ１８４に進む。ステップＳ１８４では、使用される非接触ＩＣカード２をリーダ・ライタ１５に読み取らせる指示（図８（ｃ））を表示させ、その後ステップＳ１８５に進む。ステップＳ１８５では、非接触ＩＣカード２を検出したと判断したら、ステップＳ１８６に進む。ステップＳ１８６では、入力された利用条件を非接触ＩＣカード２に書き込ませ、その後ステップＳ８３（図１４）へ戻る。
【０１００】
一方、ステップＳ１８７では、利用条件の設定画面（図１０）における「閉じる」が選択されたか否かを判断し、「閉じる」が選択されていないと判断した場合、ステップＳ１８２へ戻り、他方、「閉じる」が選択されたと判断した場合、ステップＳ８３（図１４）へ戻る。
【０１０１】
上記第２の実施の形態に係る車載用情報端末装置１Ｂによれば、非接触ＩＣカード２の明細表示、入金を行うことができるだけではなく、非接触ＩＣカード２の残高が所定金額より少ない場合に入金要求が表示され、また、予め入金元の金融機関などの入金情報を使用される非接触ＩＣカード２に記憶させておくることにより、操作手間いらずに便利な自動入金が行われる。また、入力された認証情報（ＩＤ、ＰＷ）が使用される非接触ＩＣカードに記憶されている認証情報と一致しない場合、予め設定された通報宛先へカードの不正使用を通報するメールが送信されるため、車内における非接触ＩＣカードの利用の便利性と安全性を両方向上させることができる。
【０１０２】
なお、本発明では、金融機関へのアクセス方法として、通信手段に接続されるインターネットを介して金融機関へアクセスする方法（第１の実施の形態）と、通信手段に接続される情報センターを介して金融機関へアクセスする方法とに限らず、近距離無線通信手段（例えば、ＤＳＲＣやＢＬＵＥＴＯＯＴＨなど）を介して直接金融機関へアクセスすることも可能である。
また、本発明における非接触ＩＣカードがＥＴＣなどの道路料金自動決済システムに適用することも可能である。
【図面の簡単な説明】
【０１０３】
【図１】本発明の第１の実施の形態に係る車載用情報端末装置を含んで構成された通信システムの要部を概略的に示したブロック図である。
【図２】第１の実施の形態に係る車載用情報端末装置における画面表示の例を示す図である。
【図３】第１の実施の形態に係る車載用情報端末装置における画面表示の例を示す図である。
【図４】第１の実施の形態に係る車載用情報端末装置におけるマイコンが行う一部の処理動作を示すフローチャートである。
【図５】第１の実施の形態に係る車載用情報端末装置におけるマイコンが行う一部の処理動作を示すフローチャートである。
【図６】本発明の第２の実施の形態に係る車載用情報端末装置を含んで構成された通信システムの要部を概略的に示したブロック図である。
【図７】第２の実施の形態に係る車載用情報端末装置における画面表示の例を示す図である。
【図８】第２の実施の形態に係る車載用情報端末装置における画面表示の例を示す図である。
【図９】第２の実施の形態に係る車載用情報端末装置における画面表示の例を示す図である。
【図１０】第２の実施の形態に係る車載用情報端末装置における画面表示の例を示す図である。
【図１１】第２の実施の形態に係る車載用情報端末装置における画面表示の例を示す図である。
【図１２】第２の実施の形態に係る車載用情報端末装置における画面表示の例を示す図である。
【図１３】第２の実施の形態に係る車載用情報端末装置におけるマイコンが行う一部の処理動作を示すフローチャートである。
【図１４】第２の実施の形態に係る車載用情報端末装置におけるマイコンが行う一部の処理動作を示すフローチャートである。
【図１５】第２の実施の形態に係る車載用情報端末装置におけるマイコンが行う一部の処理動作を示すフローチャートである。
【図１６】第２の実施の形態に係る車載用情報端末装置におけるマイコンが行う一部の処理動作を示すフローチャートである。
【図１７】第２の実施の形態に係る車載用情報端末装置におけるマイコンが行う一部の処理動作を示すフローチャートである。
【図１８】第２の実施の形態に係る車載用情報端末装置におけるマイコンが行う一部の処理動作を示すフローチャートである。
【図１９】第２の実施の形態に係る車載用情報端末装置におけるマイコンが行う一部の処理動作を示すフローチャートである。
【符号の説明】
【０１０４】
１Ａ、１Ｂ    車載用情報端末装置
２  非接触ＩＣカード
３  携帯電話
４  インターネット
４１  ネットショップ
５  金融機関
５ａ  銀行
５ｂ  郵便局
５ｃ  クレジット会社
６  情報センター
１０ａ、１０ｂ    マイコン
１１  ＧＰＳ受信機
１２  車速センサ
１３  ジャイロセンサ
１４  ＤＶＤデッキ
１５  リーダ・ライタ
１７  操作＆表示手段
１７ａ  タッチパネル
１７ｂ  操作ボタン
１７ｃ  ディスプレイ
１７ｄ  画像処理手段
１８  音声入出力手段
１９ａ、１９ｂ  送受信手段  
【図１】
2006350624.tif 000003
【図２】
2006350624.tif 000004
【図３】
2006350624.tif 000005
【図４】
2006350624.tif 000006
【図５】
2006350624.tif 000007
【図６】
2006350624.tif 000008
【図７】
2006350624.tif 000009
【図８】
2006350624.tif 000010
【図９】
2006350624.tif 000011
【図１０】
2006350624.tif 000012
【図１１】
2006350624.tif 000013
【図１２】
2006350624.tif 000014
【図１３】
2006350624.tif 000015
【図１４】
2006350624.tif 000016
【図１５】
2006350624.tif 000017
【図１６】
2006350624.tif 000018
【図１７】
2006350624.tif 000019
【図１８】
2006350624.tif 000020
【図１９】
2006350624.tif 000021